(57)【要約】      （修正有）【課題】ファスナーの凹条部材内に入り込んだ充填物を包装袋本体の充填部側に落として、ファスナーによる開口部の密封又は封止を確実なものとし、また、凹条部材内に入り込んだ充填物が開口部から包装体の外に漏れることがないようにする。【解決手段】充填物が充填される充填部４と充填物を充填部入れる開口部３とを形成した包装袋本体と、包装袋本体の開口部３を密封又は封止する、凸条部材５と凹条部材とを備えたファスナーとを具備し、ファスナーの凹条部材は、包装袋本体の充填部側と開口部側とにそれぞれ突条片６ｂ、６ｃを有し、かつ、両突条片６ｂ、６ｃ間に前記凸条部材５の挿入口６ｄを形成して、挿入口から挿入された凸条部材5を両突状片６ｂ、６ｃ間で挟むことにより凸条部材５を凹条部材に係止させるものであって、凹条部材の充填部側の突条片６ｂは、凹条部材内の充填物を包装袋本体の充填部４に落とすための充填物通し部を形成している包装袋。【選択図】図４
2011037508.tif 000002
【特許請求の範囲】
【請求項１】
充填物を充填する充填部と充填物を充填部に入れる開口部とを形成した包装袋本体と、前記開口部を密封又は封止する、凸条部材と凹条部材とを備えたファスナーとを具備し、
前記凹条部材は、包装袋本体の充填部側と開口部側とにそれぞれ突条片を有し、かつ、両突条片間に前記凸条部材の挿入口を形成して、挿入口から挿入された凸条部材を両突状片間で挟むことにより凸条部材を凹条部材に係止するものであって、
凹条部材の充填部側の突条片は、凹条部材内の充填物を包装袋本体の充填部に落とすための充填物通し部を形成している包装袋。
【請求項２】
充填物を充填する充填部と充填物を充填部に入れる開口部とを形成した包装袋本体の前記開口部を密封又は封止する、凸条部材と凹条部材とを備えたファスナーであって、
前記凹条部材は、包装袋本体の充填部側と開口部側とにそれぞれ突条片を有し、かつ、両突条片間に前記凸条部材の挿入口を形成して、挿入口から挿入された凸条部材を両突状片間で挟むことにより凸条部材を凹条部材に係止するものであって、
凹条部材の充填部側の突条片は、凹条部材内の充填物を包装袋本体の充填部に落とすための充填物通し部を形成していることを特徴とするファスナー。
【請求項３】
前記充填物通し部は、1つ又は複数の溝部を設けて構成されていることを特徴とする請求項２記載のファスナー。
【発明の詳細な説明】
【技術分野】
【０００１】
本発明は、包装袋及び包装袋用ファスナーの改良に関する。
【背景技術】
【０００２】
粉体、粒状体、強粘性液体等の充填物を充填、収納するプラスチック製の包装袋には、その開口部に包装袋を開閉可能に密封又は封止するプラスチック製ファスナーが設けられている。このファスナーは、包装袋の開口部の一方の内面に沿って形成された凸条部材と、他方の内面に沿って形成された凹条部材とを係止することにより包袋袋を密封又は封止し、また、この凸条部材と凹条部材との係止を解除することにより開口部を開放するもので、開口部の開閉により、充填物を包装袋内に入れ或いは包装袋から充填物を取り出すことができる。
【０００３】
従来のファスナーでは、充填物が凹条部材内に入り込むと、凹条内に堆積しやすい。このため、凹条部材内に充填物が堆積すると、凹条部材と凸条部材とを係止しても、堆積した充填物に起因して、開口部の密封性又は封止性が不十分となるおそれがある。また、係止時などに、凹条部材内に堆積した充填物が開口部から包装袋の外に漏れるおそれがある。
【０００４】
特許文献１記載の発明は、この課題を解決するためになされたもので、開口部を開閉可能に密封又は封止する凸条部材と凹条部材とを包装袋の開口部の内面に代えて包装袋の外面に沿って形成することにより、凸条部材と凹条部材とが充填物に直接接触しないようにしたものである。 この構成とすることにより、凹条部材に充填部材が溜まることはなく、上記の課題が解消される。
【先行技術文献】
【特許文献】
【０００５】
【特許文献１】特開2006−44786号公報
【発明の概要】
【発明が解決しようとする課題】
【０００６】
上記のように、特許文献１に記載された発明は、凸条部材と凹条部材とは、包袋袋のフィルムを間に挟むようにして係止される。このため、凸条部材と凹条部材とは、使用される包装袋のフィルムの厚みを考慮してその寸法、大きさを設定しなければならず、設計上の、製造上の問題がある。
【課題を解決するための手段】
【０００７】
上述した課題を解決するために、本発明は、凸条部材と凹条部材とを包装袋の開口部の内面に形成したものにおいて、凹条部材のうち、包装袋の充填部側の突条片に充填物通し部を形成することにより、凹条部材内に入り込んだ充填物は、この充填物通し部から充填部内に落下して、凹条部材内には堆積しがたい包装袋及び包装袋用ファスナーを提供するものである。
【０００８】
即ち、本発明は以下の構成を備えている。
【０００９】
（１）  充填物を充填する充填部と充填物を充填部に入れる開口部とを形成した包装袋本体と、前記開口部を密封又は封止する、凸条部材と凹条部材とを備えたファスナーとを具備し、
前記ファスナーの前記凹条部材は、包装袋本体の充填部側と開口部側とにそれぞれ突条片を有し、かつ、両突条片間に前記凸条部材の挿入口を形成して、挿入口から挿入された凸条部材を両突条片間で挟むことにより凸条部材を凹条部材に係止するものであり、
凹条部材の充填部側の突条片は、凹条部材内の充填物を包装袋本体の充填部に落とすための充填物通し部を形成している包装袋。
【００１０】
（２）  充填物を充填する充填部と充填物を充填部に入れる開口部とを形成した包装袋本体の前記開口部を密封又は封止する、凸条部材と凹条部材とを備えたファスナーであって、
前記凹条部材は、包装袋本体の充填部側と開口部側とにそれぞれ突条片を有し、かつ、両突条片間に前記凸条部材の挿入口を形成して、挿入口から挿入された凸条部材を両突状片間で挟むことにより凸条部材を凹条部材に係止するものであり、
凹条部材の充填部側の突条片は、凹条部材内の充填物を包装袋本体の充填部に落とすための充填物通し部を形成していることを特徴とするファスナー。
【００１１】
（３）  前記充填物通し部は、1つ又は複数の溝部を設けて構成されていることを特徴とする(1)の包装袋又は(2)のファスナー。
【００１２】
（４）  各溝部は、ガイド舌片を突設して、充填物を充填部に導くようにしたことを特徴とする(3)の包装袋又はファスナー。
【発明の効果】
【００１３】
本発明によれば、充填物が凹条部材内に入り込んでも、凹条部材内の空隙を満たす体積を有する凸条部材が凹条部材内に侵入することにより、凸条部材から充填物に圧力が加えられ、充填物は凹条部材に堆積することなく、充填物通し部から収納袋内に落下する。その結果、ファスナーが不十分に密封又は封止されるようなことがなく、また、密封又は封止時に充填物が包装袋の外にこぼれたり漏れたりすることがないなどの効果を奏する。
【００１４】
また、包装袋の内側に装着されるので、使用される包装袋のシートの厚み等を考慮することなく凸条部材と凹条部材を所定の寸法、大きさに設定することができる。
【図面の簡単な説明】
【００１５】
【図１】本発明に係る包装袋の実施の形態の一例を示す全体図である。
【図２】図１のII-II線に沿う断面図である。
【図３】図２のIII-III線で示す矢印方向から見た図ある。
【図４】本発明に係る包装袋の実施の形態の一例を示す要部斜視図である。
【図５】（ａ）及び（ｂ）本発明のそれぞれ異なる他の充填物通し部を供えた凹条部材の側面図である。
【図６】（ａ）乃至（ｃ）は本発明に適用可能な各種ファスナーの断面図である。
【発明を実施するための形態】
【００１６】
以下、本発明の実施の形態について詳細に説明する。
【００１７】
図１は、包装袋の全体図である。この包装袋は、プラスチック、プラスチック積層フィルム、金属蒸着層を形成したもの、紙体などの材質からなり、液体、粉体等の充填物を収容するための包装袋本体１と、充填物を包装袋本体内に密封又は封止するため、及び包装袋本体内の充填物を取り出すためのファスナー２とを備えている。本発明が有効な充填物を例示すれば、粉体、粒状体、強粘性液体などが挙げられる。粉体としては、食品、医療用、農業用、建築用、工業用粉末薬品が挙げられる。食品には、片栗粉、上新粉、米粉、粉末寒天、小麦粉、塩、コーンスターチ、ふりかけ、砂糖、から揚げ粉、粉茶、粉末サプリメント、粉末香辛料、七味、粉山椒、ココア、その他各種粉末化食品及び食品添加物が挙げられる。粒状体としては、顆粒化片栗粉、顆粒化即席コーヒー、各種顆粒化食品及び食品添加物が挙げられる。強粘性液体としては、ペースト状歯磨き粉、歯科技工用資材、研磨剤、各種強粘性液体、特に不溶性粉末を含む強粘性のペースト（食品用、医療用、建築用、農業用、漁業用、工業用等）が挙げられる。なお、各種充填物を例示したが、本発明は例示された充填物用の包装袋やファスナーに限定されるものでない。
【００１８】
包装袋本体１は、２枚のシート（以下、第１の面1ａと第２の面１ｂと称する）の両側縁部及び下縁部を接合し、上部に開口部３を形成したもので、これらの接合されたシート内に、充填物が充填される充填部４を形成している。
【００１９】
前記ファスナー２は、プラスチック、プラスチック積層フィルム、金属蒸着層を形成したものなどの材質からなり、前記開口部３と充填部４との間に配置され、包装袋本体１の開口部３から充填物を包装袋内に入れた後、ここを密封又は封止するものである。また、ファスナーを開いて、開口部から充填部内の充填物を取り出すものである。
【００２０】
このファスナー２は、図２に示すように、第１の面１ａの内面に沿って配置された凸条部材５と、第２の面１ｂの内面に沿って形成された凹条部材６とを備えている。
【００２１】
前記凸条部材５は、充填物を充填し及び取り出す方向に対して直角方向に形成され、第１の面１ａの内面に接合された基部５ａと、基部５ａから断面略球状に突出された突部５ｂとを有している。
【００２２】
前記凹条部材６は、前記凸条部材５に対向する位置に、前記第２の面１ｂの内面に沿って配置され、第２の面１ｂの内面に接合された基部６ａと、包装袋本体の充填部４側に形成された突条片６ｂと、開口部３側に形成された突条片６ｃとを有し、突条片６ｂ，６ｃ間に前記凸条部材５の突部５ｂが挿入される挿入口６ｄを形成している。この挿入口６ｄを通って突部５ｂを突条片６ｂ，６ｃ間に挿入させて、突条片６ｂ，６ｃで突部５ｂを挟み込むことにより、凸条部材５が凹条部材６に係止され、包装袋の開口部３が密封又は封止される。
【００２３】
しかして、充填部４側に形成された突条片６ｂは、図３、図４に示すように、充填物通し部７が形成されている。この実施例では、充填物通し部７は、湾曲状の複数の溝部７ａ・・・を突条片６ｂの長手方向に沿って所定間隔をもって配置して構成されている。また、充填部側突条片６ｂは、溝部7ａを間歇的に形成することにより、その先端部に溝部のない平坦部分を残存させている。このため、充填部側の突条片６ｂは、突部５ｂを突条片６ａとともに挟み込んで凸条部材を係止するのに十分な長さ、強度を有している。また、各溝部７ａは、それぞれ、充填部４側に向けてガイド舌片８を張り出すように形成している。このような舌片８を有する溝部７aは、例えば次のようにして製造される。突条片６ｂに溝部のない凹条部材を射出成形で形成した後に、この突条片６ｂに対して一定間隔で押し棒等を押し当ててそこを凹ませて湾曲させ、このことにより突条片６ｂの材料の一部を充填部側に押し出し、これを舌片８とすることにより、舌片８を有する溝部７aを製造することができる。
【００２４】
なお、図示する溝部は、湾曲状であるが、Ｕ字状、Ｖ字状、円弧状、サインカーブ状など任意の形状とすることができる。
【００２５】
他方、この包装袋は、凹条部材６の開口部３側に形成された突条片６ｃには、充填物通し部は形成されていない。
【００２６】
上記の如く構成された包装袋は、ファスナー２を開いて、充填物を開口部３から充填部４内に入れる。この際、充填物が凹条部材６内に入り込み、充填部側突条片６ｂの内側に溜まることがある。充填物が入り込んでいると凸条部材５が凹条部材６と適切に係止することができず、密封又は封止が不十分となるおそれがある。また、凸条部材５を凹条部材６内に挿入した際に、凹条部材内に入り込んでいた充填物が開口部側に押し出され、充填物が包装袋の外にこぼれ、或いは漏れてしまうおそれがある。
【００２７】
この実施例では、充填部側突条片６ｂに複数の溝部７ａが列設されているので、凹条部材６内に入り込んでいた充填物は、凸条部材５を凹条部材６内に挿入する前に、溝部７ａを通りガイド舌片８に案内されて充填部４内に落下する。また、凸条部材５を凹条部材６内に挿入した際に、凹条部材内に残っている充填物が、溝部７ａを通りガイド舌片８に案内されて充填部４内に落下する。
【００２８】
このように、凹条部材内の充填物は、この充填物通し部７から収納袋内に落下して、凹条内には堆積しがたい。このため、ファスナーが不十分に密封又は封止されることがなく、また、密封又は封止時に充填物が包装袋の外にこぼれたり漏れたりすることがない。
【００２９】
図５は充填物通し部７の他の例を示す。図５（ａ）は、矩形の溝部７ａを所定間隔に櫛歯状に形成したものである。この溝部７aを形成した充填部側突条片は、図３、図4に記載された溝部に比較して、先端の平坦部分をより長く残存させることができる。図５（ｂ）は、溝部に替えて通し孔７ａ′を一定間隔で列設したものである。このような通し孔７ａ′を形成したものは、充填部側突条片の先端の平坦部分をすべて平坦のままとして残存することができる。
【００３０】
そして、これら５図に記載の充填物通し部は、いずれも、図３、図４に記載した充填物通し部と同様の作用効果を有する。
【００３１】
本発明のファスナーは、上記実施例の構成に限るものではない。例えば、図６（ａ）に示すファスナーは、凸条部材１５が基部１５aと断面が略半円状である突部１５ｂとを備えている。凹条部材１６は基部１６aと断面が略１／４円状の互いに対向する突条片１６ｂ、１６ｃとを備え、突条片１６ｂ、１６ｃのそれぞれ先端に内側に鉤状に折り曲げた鉤状折り曲げ部１６ｄ、１６ｅを有している。凹条部材１６の突条片１６ｂ，１６ｃで凸条部材１５の突部１５ｂを挟み込むとともに、鉤状折り曲げ部１６ｄ、１６ｅを凸条部材１５の突部１５ｂの裏面に係止する構造である。この構造のファスナーに対しても、凹条部材１６の充填部側の突条片１６ｂに、充填物通し部を形成することにより、図３、図４に記載した充填物通し部と同様の作用効果を有する。
【００３２】
図６（ｂ）に示すファスナーは、凸条部材２５が、中央に挿入条溝２５ａを有すると共に、その上下両側に突条片２５ｂ，２５ｃを有し、各突条片の先端に外側に向かけて開かれた鉤状折り曲げ部２５ｄ、２５ｅを有する。 凹条部材２６は、中央に前記挿入条溝２５ａに挿入される突条２６ａを有し、上下両側に突条片２６ｂ、２６ｃを有し、各突条片の先端を内側に鉤状に折り曲げた鉤状折り曲げ部２６ｄ、２６ｅを有している。これら折り曲げ部２６ｄ、２６ｅを凸条部材の折り曲げ部２５ｄ、２５ｅと係止する構造である。この構造のファスナーに対しては、凹条部材２６の突条２６ａとともに充填部側の突条片２６ｂにそれぞれ充填物通し部を形成することにより、突条片２６ｃと突条２６ａとの間、及び突条２６ａと突条片２６ｂとの間に充填物が堆積しがたいようにすることができる。
【００３３】
また、図６（ｂ）の構造では、凹条部材２６に形成された突条２６aを本発明の「凸条部材」と、凸条部材５に形成された１対の突条片２５ｂ，２５ｃを本発明の「凹条部材」と解することもできる。このように解した場合、凸条部材２５の突条片のうち、充填部側の突条片２５ｂに充填物通し部を形成することにより、充填物が突条片２５ｂ，２５ｃ間に堆積しないようにすることができる。
【００３４】
図６（ｃ）に示すファスナーは、凸条部材３５が基部３５ａと傘状の突条部３５ｂ、３５ｃとを備え、凹条部材３６は基部３６ａに一対の立ち上げ部３６ｂ，３６ｃと、基部先端をそれぞれ内側に鉤状に折り曲げた鉤状折り曲げ部３６d、３６eを備えている構造であり、鉤状折り曲げ部３６d、３６eに傘状の突条部３５ｂ、３５ｃが係止する。このような構成のファスナーに対しても、凹条部材３６の突条片のうち、充填部側の基部３６ｂに充填物通し部を形成することにより、図３、図４に記載した充填物通し部と同様の作用効果を有する。
【００３５】
これらの実施例の包装袋には、凹条部材の開口部側に形成された突条片に充填物通し部が形成されていない。しかし、本発明は、目的とする封止が可能な範囲内において、凹条部材の開口部側に形成された突条片に、凹条部材の充填部側の突条片の充填物通し部と同様の又は類似の溝部や通し孔等を形成してもよい。具体的には、凹条部材の充填部側の突条片に形成された充填物通し部の対向位置に、これと同様又は類似の形状の溝部や通し孔等を形成したもの、或いは凹条部材の充填部側の突条片に形成された充填物通し部に対して千鳥状に（交互に）同様又は類似の形状の溝部や通し孔等を形成したものなどが挙げられる。
【符号の説明】
【００３６】
１…包装袋本体、１ａ…第１の面、１ｂ…第２の面、２…ファスナー、３…開口部、
４…充填部、５…凸条部材、５ａ…基部、５ｂ…突部、６…凹条部材、６ａ…基部
６ｂ…突条片、６ｃ…突条片、６ｄ…挿入口、７…充填物通し部、７ａ…溝部、
７ａ′…通し孔、８…ガイド舌片、１５…凸条部材、１５ａ…基部，１５ｂ…突部，
１６…凹条部材，１６ａ…基部，１６ｂ，１６ｃ…突条片，
１６ｄ、１６ｅ…鉤状折り曲げ部，２５…凸条部材，２５ａ…挿入条溝，
２５ｂ，２５ｃ…突条片，２５ｄ、２５ｅ…鉤状折り曲げ部，２６…凹条部材，
２６ａ…突条，２６ｂ、２６ｃ…突条片，２６ｄ、２６ｅ…鉤状折り曲げ部，
３５…凸条部材，３５ａ…基部，３５ｂ，３５ｃ…突条部，３６…凹条，
３６ａ…基部，３６ｂ，３６ｃ…立ち上げ部，３６ｄ，３６ｅ…鉤状折り曲げ部
【図１】
2011037508.tif 000003
【図２】
2011037508.tif 000004
【図３】
2011037508.tif 000005
【図４】
2011037508.tif 000006
【図５】
2011037508.tif 000007
【図６】
2011037508.tif 000008